(57)【要約】      （修正有）【課題】接続作業が容易でありかつ小型化が可能なコネクタを提供する。【解決手段】絶縁本体１０３には、ハウジング２０１の第２のねじ部２０４とねじ結合が可能な第１のねじ部１０４が形成されている。ハウジング２０１は、絶縁本体１０３に形成される複数の端子挿入口と連通する収容空間を形成する。該端子挿入口に固定される複数の端子３０１には、電気ケーブルと接続する圧着部が設けられる。該電気ケーブルを支持する保持部材４０１は、ハウジング２０１内に収容される。該電気ケーブルの接続端部は、保持部材４０１に形成される導入溝を介して保持溝により保持される。該保持溝に保持される上記接続端部は、複数の端子３０１の該圧着部と圧着により電気的に接続される。これにより、組み立て作業の効率が向上するとともに体格を小型にすることができる。【選択図】図２
0003177894.tif 000002
【実用新案登録請求の範囲】
【請求項１】
外周面に第１のねじ部が設けられる絶縁本体と、
内周面に前記第１のねじ部とねじ結合する第２のねじ部が設けられ、前記絶縁本体の底面に形成される端子挿入口と連通する収容空間を形成するハウジングと、
前記端子挿入口に固定される複数の端子と、
前記ハウジング内に収容され、電気ケーブルの芯線の接続端部を保持する保持部材と、
を備え、
前記複数の端子には前記接続端部の屈曲部と圧着により接続する圧着部が設けられ、
前記接続端部の屈曲部の先端を前記保持部材の径方向外側で切断した後、ソケットコネクタと接続することを特徴とするコネクタ。
【請求項２】
前記保持部材は、前記端子挿入口の近傍に形成される嵌合穴に嵌合する嵌合柱を前記絶縁本体の前記底面に対向する先端面上に有することを特徴とする請求項１に記載のコネクタ。
【請求項３】
前記ハウジングは、前記ハウジング内に収容される前記保持部材を移動する底部を備えることを特徴とする請求項１に記載のコネクタ。
【考案の詳細な説明】
【技術分野】
【０００１】
本考案は、データ伝送ケーブルのコネクタであって、特に、ＩＥＣ６１０７６−２−１０１（低電圧範囲用の丸型プラグコネクタ）等の国際標準に従ったプラグコネクタに関する。
【背景技術】
【０００２】
従来、一対の接続ラインの端子同士を電気接続するコネクタにおいて、ねじ結合によりロックリングするコネクタが知られている（特許文献１）。一般的に、Ｍ１２サイズ、４ピンコネクタ、５ピンコネクタ、８ピンコネクタと呼ばれている丸型コネクタは、国際規格である国際電気標準会議規格書のＩＥＣ６１０７６−２−１０１に準拠している。コネクタの部品同士を接続するとき、コネクタの接続と同時に一方のコネクタ部品の外周に設けられた外ねじ部と他方のコネクタ部品の外周に設けられた内ねじ部とをねじ結合することによりコネクタの部品同士が抜けないように固定する。また、特許文献２には、接続作業を容易にするために圧着コンタクトが用いられるコネクタが記載されている。
【先行技術文献】
【特許文献】
【０００３】
【特許文献１】米国特許出願公開第２０１２／００１５５３９号明細書
【特許文献２】特公昭６２−０２７５０７号公報
【考案の概要】
【考案が解決しようとする課題】
【０００４】
しかしながら、特許文献１に記載のコネクタでは、ケーブルの信号線とコネクタの端子とを接続するとき、シグナルを伝達する端子がコネクタのハウジングを経由して信号線の芯線とはんだ付けにより接続される。信号線が接続された端子とコネクタとの組み立て作業では、コネクタのハウジングを密封するように冷却手段によって急速に冷却することで端子と芯線とを接続する溶融はんだを完全に固化させるため、作業手順が多くなってしまい、接続作業が複雑になる問題があった。また、特許文献２に記載のコネクタでは電気コネクタの軸方向に垂直に圧着片を起立させており、上方から信号線を圧着片に接続させるための収容空間を有するため、電気コネクタ全体が長くなってしまい、小型化が妨げられるという問題があった。
【０００５】
本考案の目的は、接続作業が容易でありかつ小型化が可能なコネクタを提供することにある。
【課題を解決するための手段】
【０００６】
本考案のコネクタは、外周面に第１のねじ部が設けられる絶縁本体と、内周面に第２のねじ部が設けられ、絶縁本体の底面に形成される端子挿入口と連通する収容空間を有するハウジングと、端子挿入口に固定される複数端子と、ハウジング内に収容され、電気ケーブルの芯線の接続端部を保持する保持部材と、を備える。コネクタの複数の端子には接続端部の屈曲部と圧着により電気的に接続される圧着部が設けられる。コネクタは、接続端部の屈曲部の先端を保持部材の径方向外側で切断した後、ソケットコネクタと接続する。
【０００７】
本考案のコネクタの保持部材は、端子挿入口の近傍に形成される嵌合穴に嵌合する嵌合柱を絶縁本体の底面に対向する保持部材の先端面上に有する。
【０００８】
本考案のコネクタのハウジングは、ハウジング内に収容される保持部材を移動する底部を備える。
【考案の効果】
【０００９】
本考案によれば、接続作業を容易にするとともに、特別な道具無しでその場で配線することができる。
【図面の簡単な説明】
【００１０】
【図１】本考案の一実施形態によるコネクタを示す斜視図である。
【図２】本考案の一実施形態によるコネクタを示す分解斜視図である。
【図３】本考案の一実施形態によるコネクタを示す他の角度からの分解斜視図である。
【図４】本考案の一実施形態によるコネクタの保持部材を示す斜視図である。
【図５】本考案の一実施形態によるコネクタの保持部材を示す正面図である。
【図６】本考案の一実施形態によるコネクタの保持部材を示す断面図である。
【図７】本考案の一実施形態によるコネクタの保持部材の電気ケーブルに芯線を接続した状態を示す正面図である。
【図８】本考案の一実施形態によるコネクタの保持部材の電気ケーブルの芯線に端子を接続した状態を示す断面図である。
【図９】本考案の一実施形態によるコネクタの端子を示す斜視図である。
【図１０】本考案の一実施形態によるコネクタの絶縁本体を示す斜視図である。
【図１１】本考案の一実施形態によるコネクタのハウジングを示す斜視図である。
【考案を実施するための形態】
【００１１】
（一実施形態）
本考案の一実施形態によるコネクタを図１〜図１１に基づいて説明する。
コネクタ１００は、トップピース１０１、ハウジング２０１、複数の端子３０１、保持部材４０１、および電気ケーブル５００（図８参照）を含む。
【００１２】
カップリングユニットは、ねじ結合により二つの丸型プラグタイプのコネクタ同士を接続することで構成される。一方のコネクタは、雄コンタクトを備えており、以下、コネクタ１００と呼ぶ。これに対応し、他方のコネクタは、雌コンタクトを備えており、以下、ソケットコネクタと呼ぶ。
【００１３】
コネクタ１００は、ＩＥＣ６１０７６−２−１０１に準拠するＭ１２サイズのコネクタの規格になっている。丸型のコネクタ１００のトップピース１０１は、相応に設計されたソケットコネクタに接続することができるスリーブ１０２とともに絶縁本体１０３を備える。
【００１４】
丸型のトップピース１０１には、相当の丸型となる外観を有するハウジング２０１が接続する。電気ケーブル５００は、ハウジング２０１の内部２０３に位置する。
【００１５】
トップピース１０１を形成するスリーブ１０２には、ねじ部１０２ａが一体に形成されるが、別々の部品により構成されてもよい。ねじ部１０２ａを有するスリーブ１０２の一端とは反対側の他端には、絶縁本体１０３の一端に設けられた結合部１０３ａが結合可能な中空円筒部１０２ｂが設けられる。絶縁本体１０３は、軸方向のスリーブ１０２内に挿入することができる。
【００１６】
絶縁本体１０３の外周面１０５には、第２のねじ部２０４の内周面２０５（図１１参照）とねじ結合可能なように第１のねじ部１０４が形成されている。第２のねじ部２０４は、ハウジング２０１に設けられ、絶縁本体１０３に接続する。
【００１７】
ハウジング２０１は、絶縁本体１０３の底面１０７に形成される複数の端子挿入口１０６と連通する収容空間２０２を形成する。端子挿入口１０６に固定される複数の端子３０１は、中空円筒部１０２ｂに結合する丸型の結合部１０３ａの内側にソケットコネクタの雌コンタクトと接続するように形成されるコンタクト部３０２を備える。複数の端子３０１のコンタクト部３０２が設けられる側とは反対側には、電気ケーブル５００と接続する圧着部３０３が設けられる。
【００１８】
保持部材４０１は、一つの絶縁部品に芯線５０１（図８参照）を固定する場合、電気ケーブル５００を支持する部品である。電気ケーブル５００はハウジング２０１の内部２０３に配線され、保持部材４０１はハウジング２０１の収容空間２０２に設けられる。保持部材４０１は、先端面４０２、先端面４０２を囲む側面４０９、および底面と本体とを形成するボディ４０４から構成されている。
【００１９】
電気ケーブル５００は、複数の芯線５０１と被覆５０２とから構成され、芯線５０１は接続端部５０３を有する。収容空間２０２に設けられた保持部材４０１は、中央部に芯線入り口４０５、芯線入り口４０５に交差して放射状に形成される４つの導入溝４０７、および圧着溝４０６を有している。導入溝４０７と保持溝４０８とには、電気ケーブル５００の芯線５０１が挿入される。導入溝４０７は先端面４０２に形成され、保持溝４０８は先端面４０２から導入溝４０７に連続して側面４０９に断面形状が円となるように形成されている。
【００２０】
圧着溝４０６は、芯線５０１の接続端部５０３を圧着するとき端子３０１の圧着部３０３（図９参照）に形成された圧着刃３０４を収納するために形成されている。圧着溝４０６は導入溝４０７に直交するように、導入溝４０７の深さよりも深く形成されている。接続端部５０３の被覆５０２を剥がし、適当な長さの４つの芯線５０１を剥き出しにし、圧着するための芯線５０１を所定の箇所に形成する。
【００２１】
保持部材４０１の芯線入り口４０５に芯線５０１を挿入するとき、接続端部５０３の被覆５０２を表向きに屈曲させ導入溝４０７に押し込む。また、導入溝４０７に押し込まれた接続端部５０３は、保持溝４０８にさらに押し込まれ保持される。これにより、端子３０１の圧着部３０３に形成された圧着刃３０４と圧着により接続される屈曲部５０４が形成される。すなわち、保持部材４０１では、接続端部５０３を表向きに屈曲し保持する。また、保持溝４０８で保持される屈曲部５０４は側面４０９から突出する先端５０５が保持部材４０１にとって不要であるため切ることができ、切り口５０６が形成される。
【００２２】
ハウジング２０１の収容空間２０２に設けられる保持部材４０１は、絶縁本体１０３の底面１０７に対向する保持部材４０１の先端面４０２に端子挿入口１０６の近傍に形成されている嵌合穴１０８（図１０参照）に嵌合する嵌合柱４０３を有している。また、保持部材４０１が設けられるハウジング２０１の内部２０３には、保持部材４０１のボディ４０４を移動する底部２０６を備える。これによって、第１のねじ部１０４と第２のねじ部２０４とをねじ結合するとき、即ち、絶縁本体１０３とハウジング２０１とをねじ結合するとき、ハウジング２０１の底部２０６は、収容空間２０２を小さくし、保持部材４０１のボディ４０４を徐々に押し込む。
【００２３】
また、防水特性を求める場合、第１のねじ部１０４と第２のねじ部２０４とをねじ結合するときのコネクタ同士の抜けを防止するため、コネクタ同士を密着させる。このとき、部品の間に密着可能な保持リング６０１を備えることにより、ゴム部材６０２を密封する下蓋６０３とハウジング２０１とを組み合わせることにより、防水特性や防水効果を得ることができる。
【００２４】
本考案の一実施形態によるコネクタ１００によれば、電気ケーブル５００の芯線５０１の接続端部５０３を保持部材４０１において屈曲し保持させ、その屈曲した部位と端子３０１に形成されている圧着部３０３とを軸方向に対向させて圧着により電気的に接続させる。これにより、コネクタ１００の軸方向の長さに対して短い収容空間で圧着により電気的に接続可能なトップピース１０１とハウジング２０１とがねじ結合し、保持部材４０１のボディ４０４を絶縁本体に嵌合することが可能になる。したがって、従来技術のコネクタのように、上方から信号線を圧着片に接続させるための収容空間も必要としないので作業工数も少なく、組み立て作業の効率が向上し、小型化することができる。
【００２５】
なお、以上は本考案の一実施形態の説明に過ぎず、本考案の請求範囲を限定するものではなく、本考案の明細書および図面の内容に基づきなし得る簡易な変更および同じ効果を達成できる構造変更は、いずれも本考案の請求範囲内に属する。
【符号の説明】
【００２６】
１００      ・・・コネクタ、
１０１      ・・・トップピース、
１０２      ・・・スリーブ、
１０２ａ    ・・・ねじ部、
１０２ｂ    ・・・中空円筒部、
１０３      ・・・絶縁本体、
１０３ａ    ・・・結合部、
１０４      ・・・第１のねじ部、
１０５      ・・・外周面、
１０６      ・・・端子挿入口、
１０７      ・・・底面、
１０８      ・・・嵌合穴、
２０１      ・・・ハウジング、
２０２      ・・・収容空間、
２０３      ・・・内部、
２０４      ・・・第２のねじ部、
２０５      ・・・内周面、
２０６      ・・・底部、
３０１      ・・・端子、
３０２      ・・・コンタクト部、
３０３      ・・・圧着部、
４０１      ・・・保持部材、
４０２      ・・・先端面、
４０３      ・・・嵌合柱、
４０４      ・・・ボディ、
４０５      ・・・芯線入り口、
４０６      ・・・圧着溝、
４０７      ・・・導入溝、
４０８      ・・・保持溝、
４０９      ・・・側面、
５００      ・・・電気ケーブル、
５０１      ・・・芯線、
５０２      ・・・被覆、
５０３      ・・・接続端部、
５０４      ・・・屈曲部、
５０５      ・・・屈曲部の先端、
５０６      ・・・切り口、
６０１      ・・・保持リング、
６０２      ・・・ゴム部材、
６０３      ・・・下蓋。
【図１】
0003177894.tif 000003
【図２】
0003177894.tif 000004
【図３】
0003177894.tif 000005
【図４】
0003177894.tif 000006
【図５】
0003177894.tif 000007
【図６】
0003177894.tif 000008
【図７】
0003177894.tif 000009
【図８】
0003177894.tif 000010
【図９】
0003177894.tif 000011
【図１０】
0003177894.tif 000012
【図１１】
0003177894.tif 000013